(57)【要約】【課題】通話相手の所有するコンテンツにアクセスする際、通話相手毎に毎回異なる情報を入力しなければならないこと。【解決手段】この情報処理端末は、通話セッション確立手段と通話相手アドレス取得手段とＨＴＴＰ要求受信手段とＵＲＬ生成手段とを有する。通話セッション確立手段は、通話相手の端末との間に通話セッションを確立する。通話相手アドレス取得手段は、通話セッションの確立に際して通話相手の端末から受信する情報からコンテンツ保存先の端末のＩＰアドレスを抽出する。ＨＴＴＰ要求受信手段は、ホスト名に自装置のＵＲＬが設定され、パスに通話相手の所有コンテンツへのアクセスである旨の記述が付加された入力用ＵＲＬを指定したＨＴＴＰ要求を受信する。ＵＲＬ生成手段は、通話相手アドレス取得手段で抽出された通話相手の端末のＩＰアドレスと受信されたＨＴＴＰ要求で指定された入力用ＵＲＬとから、所有コンテンツのＵＲＬを生成する。【選択図】図１
2011249897.tif 000002
【特許請求の範囲】
【請求項１】
通話相手の端末との間に通話セッションを確立する通話セッション確立手段と、
前記通話セッションの確立に際して前記通話相手の端末から受信する情報からコンテンツ保存先の端末のＩＰアドレスを抽出する通話相手アドレス取得手段と、
ホスト名に自装置のＵＲＬが設定され、パスに通話相手の所有コンテンツへのアクセスである旨の記述が付加された入力用ＵＲＬを指定したＨＴＴＰ要求を受信するＨＴＴＰ要求受信手段と、
前記通話相手アドレス取得手段で抽出された前記通話相手の端末のＩＰアドレスと前記受信された前記ＨＴＴＰ要求で指定された入力用ＵＲＬとから、前記所有コンテンツのＵＲＬを生成するＵＲＬ生成手段とを備えたことを特徴とする情報処理端末。
【請求項２】
前記ＵＲＬ生成手段は、前記入力用ＵＲＬ中のホスト名を前記ＩＰアドレスに書き換え、パスから前記記述を削除することにより、前記所有コンテンツのＵＲＬを生成することを特徴とする請求項１に記載の情報処理端末。
【請求項３】
前記ＨＴＴＰ要求受信手段に対して前記ＨＴＴＰ要求を送信した端末に対して、前記ＵＲＬ生成手段により生成された前記所有コンテンツのＵＲＬを指定したＨＴＴＰ応答を送信するＨＴＴＰ応答送信手段を、さらに備えることを特徴とする請求項１または２に記載の情報処理端末。
【請求項４】
前記ＨＴＴＰ要求受信手段に対して前記ＨＴＴＰ要求を送信した端末に対して、前記ＵＲＬ生成手段により生成された前記所有コンテンツのＵＲＬを指定したＨＴＴＰ応答をリダイレクションとして送信するＨＴＴＰ応答送信手段を、さらに備えることを特徴とする請求項１乃至３の何れかに記載の情報処理端末。
【請求項５】
前記ＵＲＬ生成手段により生成された前記所有コンテンツのＵＲＬを指定したＨＴＴＰ要求を送信し、該送信したＨＴＴＰ要求に対するＨＴＴＰ応答を受信するＨＴＴＰ要求転送手段と、
前記ＨＴＴＰ要求受信手段に対して前記ＨＴＴＰ要求を送信した端末に対して、前記ＨＴＴＰ要求転送手段が受信した前記ＨＴＴＰ応答を送信するＨＴＴＰ応答送信手段とを、さらに備えることを特徴とする請求項１または２に記載の情報処理端末。
【請求項６】
通話相手の端末との間に通話セッションを確立し、
前記通話セッションの確立に際して前記通話相手の端末から受信する情報からコンテンツ保存先の端末のＩＰアドレスを抽出し、
ホスト名に自装置のＵＲＬが設定され、パスに通話相手の所有コンテンツへのアクセスである旨の記述が付加された入力用ＵＲＬを指定したＨＴＴＰ要求を受信し、
前記通話相手アドレス取得手段で抽出された前記通話相手の端末のＩＰアドレスと前記受信された前記ＨＴＴＰ要求で指定された入力用ＵＲＬとから、前記所有コンテンツのＵＲＬを生成する、ことを特徴とする情報処理方法。
【請求項７】
コンピュータを、
通話相手の端末との間に通話セッションを確立する通話セッション確立手段と、
前記通話セッションの確立に際して前記通話相手の端末から受信する情報からコンテンツ保存先の端末のＩＰアドレスを抽出する通話相手アドレス取得手段と、
ホスト名に自装置のＵＲＬが設定され、パスに通話相手の所有コンテンツへのアクセスである旨の記述が付加された入力用ＵＲＬを指定したＨＴＴＰ要求を受信するＨＴＴＰ要求受信手段と、
前記通話相手アドレス取得手段で抽出された前記通話相手の端末のＩＰアドレスと前記受信された前記ＨＴＴＰ要求で指定された入力用ＵＲＬとから、前記所有コンテンツのＵＲＬを生成するＵＲＬ生成手段として機能させるためのプログラム。
【請求項８】
電話機能を有する第１の情報処理端末と、電話機能を有する第２の情報処理端末と、ブラウザ機能を有する第３の情報処理端末とがネットワークを介して相互に通信可能に接続され、
前記第１の情報処理端末は、
前記第２の情報処理端末との間に通話セッションを確立する通話セッション確立手段と、
前記通話セッションの確立に際して前記第２の情報処理端末から受信する情報から前記第２の情報処理端末のＩＰアドレスを抽出する通話相手アドレス取得手段と、
前記第３の情報処理端末から、ホスト名に前記第１の情報処理端末のＵＲＬが設定されパスに通話相手の所有コンテンツへのアクセスである旨の記述が付加された入力用ＵＲＬを指定してデータの取得を要求する第１のＨＴＴＰ要求を受信する第１のＨＴＴＰ要求受信手段と、
前記通話相手アドレス取得手段で抽出された前記第２の情報処理端末のＩＰアドレスと前記第１のＨＴＴＰ要求受信手段で受信された入力用ＵＲＬとから、前記第２の情報処理端末の前記所有コンテンツのＵＲＬを生成するＵＲＬ生成手段と、
前記ＵＲＬ生成手段で生成された前記所有コンテンツのＵＲＬを含む第１のＨＴＴＰ応答を前記第３の情報処理端末へ送信する第１のＨＴＴＰ応答送信手段とを備え、
前記第２の情報処理端末は、
前記第１の情報処理端末との間に前記通話セッションを確立する通話セッション確立手段と、
前記第３の情報処理端末から前記所有コンテンツのＵＲＬを指定してデータの取得を要求する第２のＨＴＴＰ要求を受信する第２のＨＴＴＰ要求受信手段と、
前記第２のＨＴＴＰ要求に対する応答として前記所有コンテンツを含む第２のＨＴＴＰ応答を送信する第２のＨＴＴＰ応答送信手段とを備え、
前記第３の情報処理端末は、
前記入力用ＵＲＬを入力する入力手段と、
前記入力手段から入力された前記入力用ＵＲＬを含む前記第１のＨＴＴＰ要求を前記第１の情報処理端末へ送信し、該送信した前記第１のＨＴＴＰ要求に対する応答として受信した前記第１のＨＴＴＰ応答に含まれる前記所有コンテンツのＵＲＬを指定してデータの取得を要求する前記第２のＨＴＴＰ要求を前記第２の情報処理端末へ送信する第３のＨＴＴＰ要求送信手段と、
前記第３のＨＴＴＰ要求送信手段が送信した前記第２のＨＴＴＰ要求に対する前記第２のＨＴＴＰ応答を受信する第３のＨＴＴＰ応答受信手段と、
前記第３のＨＴＴＰ応答受信手段で受信された前記第２のＨＴＴＰ応答に含まれる前記所有コンテンツを表示する表示手段とを備えることを特徴とする情報処理システム。
【請求項９】
電話機能を有する第１の情報処理端末と電話機能を有する第２の情報処理端末とが第１のネットワークを通じて相互に通信可能に接続され、ブラウザ機能を有する第３の情報処理端末と前記第１の情報処理端末とが第２のネットワークを通じて相互に通信可能に接続され、
前記第１の情報処理端末は、
前記第２の情報処理端末との間に通話セッションを確立する通話セッション確立手段と、
前記通話セッションの確立に際して前記第２の情報処理端末から受信する情報から前記第２の情報処理端末のＩＰアドレスを抽出する通話相手アドレス取得手段と、
前記第３の情報処理端末から、ホスト名に前記第１の情報処理端末のＵＲＬが設定されパスに通話相手の所有コンテンツへのアクセスである旨の記述が付加された入力用ＵＲＬを指定してデータの取得を要求する第１のＨＴＴＰ要求を受信する第１のＨＴＴＰ要求受信手段と、
前記通話相手アドレス取得手段で抽出された前記第２の情報処理端末のＩＰアドレスと前記第１のＨＴＴＰ要求受信手段で受信された入力用ＵＲＬとから、前記第２の情報処理端末の前記所有コンテンツのＵＲＬを生成するＵＲＬ生成手段と、
前記第１のＨＴＴＰ要求受信手段で前記第１のＨＴＴＰ要求を受信したとき、前記ＵＲＬ生成手段で生成された前記所有コンテンツのＵＲＬを指定してデータの取得を要求する第２のＨＴＴＰ要求を前記第２の情報処理端末へ送信し、前記第２のＨＴＴＰ要求に対する応答として前記所有コンテンツを含む第２のＨＴＴＰ応答を受信するＨＴＴＰ要求転送手段と、
前記第２のＨＴＴＰ応答に含まれる前記所有コンテンツを含む第１のＨＴＴＰ応答を、前記第１のＨＴＴＰ要求に対する応答として前記第３の情報処理端末へ送信する第１のＨＴＴＰ応答送信手段とを備え、
前記第２の情報処理端末は、
前記第１の情報処理端末との間に前記通話セッションを確立する通話セッション確立手段と、
前記第１の情報処理端末から前記所有コンテンツのＵＲＬを指定してデータの取得を要求する前記第２のＨＴＴＰ要求を受信する第２のＨＴＴＰ要求受信手段と、
前記第２のＨＴＴＰ要求に対する応答として前記所有コンテンツを含む前記第２のＨＴＴＰ応答を送信する第２のＨＴＴＰ応答送信手段とを備え、
前記第３の情報処理端末は、
前記入力用ＵＲＬを入力する入力手段と、
前記入力手段から入力された前記入力用ＵＲＬを指定してデータの取得を要求する前記第１のＨＴＴＰ要求を前記第１の情報処理端末へ送信する第３のＨＴＴＰ要求送信手段と、
前記第３のＨＴＴＰ要求送信手段が送信した前記第１のＨＴＴＰ要求に対する前記第１のＨＴＴＰ応答を受信する第３のＨＴＴＰ応答受信手段と、
前記第３のＨＴＴＰ応答受信手段で受信された前記第１のＨＴＴＰ応答に含まれる前記所有コンテンツを表示する表示手段とを備えることを特徴とする情報処理システム。
【発明の詳細な説明】
【技術分野】
【０００１】
本発明は、通話相手の所有するコンテンツのＵＲＬを生成する機能を有する情報処理端末に関する。
【背景技術】
【０００２】
通話中に通話相手の所有するコンテンツをアクセスする技術の一例が特許文献１に記載されている。特許文献１では、呼制御を中継するＶｏＩＰ（Voice over Internet Protocol）サーバを有するＩＰ網と、このＩＰ網を介して音声通信を行う第１のＩＰ電話機およびＷｅｂブラウザからなる発信元端末と、上記ＩＰ網を介して音声通信を行う第２のＩＰ電話機およびこの第２のＩＰ電話機に割り当てられたＩＰアドレスと同一のＩＰアドアレスが割り当てられたＷｅｂサーバからなる発信先端末とを備えたＩＰ電話システムにおいて、第１および第２のＩＰ電話機による通話中に発信元端末のＷｅｂブラウザから発信先端末のＷｅｂサーバに記憶されたコンテンツのアクセスを可能にしている。
【０００３】
より具体的には、第１のＩＰ電話機は、ＶｏＩＰサーバに対して接続要求を送信する接続要求送信手段と、上記接続要求に基づいて第２のＩＰ電話機から返送される接続応答を受信する接続応答受信手段と、受信した接続応答から発信先ＩＰアドレスを抽出する発信先ＩＰアドレス抽出手段とを有する。また、Ｗｅｂブラウザは、上記接続要求に基づく通話セッションの確立後、上記抽出された発信先ＩＰアドレスを第１のＩＰ電話機からメモリを介して受け取り、この受け取った発信先ＩＰアドレスに基づいてＷｅｂサーバに対してアクセス要求を送信するアクセス要求送信手段を有する。
【０００４】
他方、第２のＩＰ電話機は、ＶｏＩＰサーバから上記接続要求を受信する接続要求受信手段と、上記接続要求に基づいて、自局に割り当てられたＩＰアドレスを含む接続応答を第１のＩＰ電話機に対して返送する接続応答返送手段とを有する。また、Ｗｅｂサーバは、上記Ｗｅｂブラウザから上記アクセス要求を受信するアクセス要求受信手段と、受信したアクセス要求から発信元ＩＰアドレスを抽出する第２の発信元ＩＰアドレス抽出手段と、上記第１の発信元ＩＰアドレス抽出手段および上記第２の発信元ＩＰアドレス抽出手段がそれぞれ抽出した発信元ＩＰアドレスが一致していれば、上記Ｗｅｂブラウザからのアクセスを許可するアクセス許可手段とを有する。
【０００５】
そして、Ｗｅｂサーバは、各種のコンテンツを記憶する各種情報記憶部を有しており、発信元端末のユーザは、Ｗｅｂブラウザを用いてＷｅｂサーバにアクセスすれば、アクセスが許可された場合に、各種情報記憶部に記憶されているコンテンツをＷｅｂサーバから取り込むことができるとされている。
【０００６】
他方、特許文献２には、コンテンツが複数のＵＲＬ（Uniform Resource Locator）の場所に存在する場合、検索システムは、検索キーワードを指定したユーザからの検索要求でヒットしたコンテンツの複数のＵＲＬの中から、当該ユーザの環境に応じたＵＲＬを所定の変換処理により生成して、ユーザに返却することにより、負荷分散を図るＵＲＬ変換装置が記載されている。
【先行技術文献】
【特許文献】
【０００７】
【特許文献１】特開２００５−１０１７４５号公報
【特許文献２】特開２０００−２８５０５２号公報
【発明の概要】
【発明が解決しようとする課題】
【０００８】
特許文献１に記載のＩＰ電話システムによれば、接続要求に基づいて返送される接続応答から発信先ＩＰアドレスが抽出されるので、発信元端末の第１のＩＰ電話機からＩＰ網を介して発信先端末の第２のＩＰ電話機に接続要求を送信することにより、発信先端末のＷｅｂサーバに割り当てられているＩＰアドレスを取得することができる。つまり、通信相手にＩＰ電話をかけることによって容易に発信先ＩＰアドレスを入手することができる。そして、発信元端末のＷｅｂブラウザは、接続応答から抽出された発信先ＩＰアドレスを発信元端末のメモリを介して第１のＩＰ電話機から取得し、この取得した発信先ＩＰアドレスを用いてＷｅｂサーバにアクセス要求を送信するので、発信先ＩＰアドレスをユーザが入力する操作の手間を省くことができる。
【０００９】
ところで、特許文献１には、前述したように、Ｗｅｂブラウザを用いてＷｅｂサーバにアクセスすれば、アクセスが許可された場合に、各種情報記憶部に記憶されているコンテンツをＷｅｂサーバから取り込むことができる旨、記載されている。しかし、一般にＷｅｂサーバ上のコンテンツを取得するためには、コンテンツのＵＲＬを必要とするけれども、特許文献１には、コンテンツのＵＲＬを如何にして生成するかに関する記載はない。コンテンツのＵＲＬは、通話相手が異なれば相違するので、ユーザが手動で入力しなければならないとすると、通話相手の所有するコンテンツにアクセスする際、通話相手毎に毎回異なる情報を入力しなければならなくなる。
【００１０】
本発明の目的は、上述したような課題、すなわち通話相手の所有するコンテンツにアクセスする際、通話相手毎に毎回異なる情報を入力しなければならない、という課題を解決する情報処理端末を提供することにある。
【課題を解決するための手段】
【００１１】
本発明の一形態にかかる情報処理端末は、通話相手の端末との間に通話セッションを確立する通話セッション確立手段と、上記通話セッションの確立に際して上記通話相手の端末から受信する情報からコンテンツ保存先の端末のＩＰアドレスを抽出する通話相手アドレス取得手段と、ホスト名に自装置のＵＲＬが設定され、パスに通話相手の所有コンテンツへのアクセスである旨の記述が付加された入力用ＵＲＬを指定したＨＴＴＰ要求を受信するＨＴＴＰ要求受信手段と、上記通話相手アドレス取得手段で抽出された上記通話相手の端末のＩＰアドレスと上記受信された上記ＨＴＴＰ要求で指定された入力用ＵＲＬとから、上記所有コンテンツのＵＲＬを生成するＵＲＬ生成手段とを備える。
【発明の効果】
【００１２】
本発明の情報処理端末は、ホスト名に当該情報処理端末のＵＲＬを設定し、パスに通話相手の所有コンテンツへのアクセスである旨の記述を付加したＵＲＬという、通信相手に依存しない特定のＵＲＬをＨＴＴＰ要求により当該情報処理端末へ送信するだけで、通話相手の所有するコンテンツにアクセスするためのＵＲＬを生成することができる。このため、ユーザは、通話相手の所有するコンテンツにアクセスする際、通話相手毎に毎回異なる情報を入力する必要がなくなる。
【図面の簡単な説明】
【００１３】
【図１】本発明の第１の実施形態にかかる電話機能を有する情報処理端末のブロック図である。
【図２】本発明の電話機能を有する情報処理端末と組み合わせて使用するブラウザ機能を有する情報処理端末のブロック図である。
【図３】本発明の第１の実施形態にかかる電話機能を有する情報処理端末とブラウザ機能を有する情報処理端末とを用いて構築された情報処理システムの一例を示すブロック図である。
【図４】本発明の第１の実施形態にかかる電話機能を有する情報処理端末とブラウザ機能を有する情報処理端末とを用いて構築された情報処理システムの動作を示すシーケンス図である。
【図５】本発明の第２の実施形態にかかる電話機能を有する情報処理端末のブロック図である。
【図６】本発明の第２の実施形態にかかる電話機能を有する情報処理端末とブラウザ機能を有する情報処理端末とを用いて構築された情報処理システムの一例を示すブロック図である。
【図７】本発明の第２の実施形態にかかる電話機能を有する情報処理端末とブラウザ機能を有する情報処理端末とを用いて構築された情報処理システムの動作を示すシーケンス図である。
【発明を実施するための形態】
【００１４】
次に本発明の実施の形態について図面を参照して詳細に説明する。
[第１の実施形態]
図１を参照すると、本発明の第１の実施形態にかかる電話機能を有する情報処理端末１０は、通話セッション確立手段１０１と、通話相手アドレス取得手段１０２と、ＨＴＴＰ要求受信手段１０３と、ＵＲＬ生成手段１０４と、ＨＴＴＰ応答送信手段１０５と、コンテンツデータ記憶部１０６とを備えている。これらは、それぞれ以下のような機能を有する。
【００１５】
通話セッション確立手段１０１は、ネットワークＮＷ１を通じて図示しない通話相手の端末との間に通話セッションを確立する。通話セッションを確立するプロトコルとして、本実施形態では、ＳＩＰを使用する。但し、本発明はＳＩＰに限定されず、他のプロトコルを使用して通話セッションを確立するようにしてもよい。
【００１６】
通話相手アドレス取得手段１０２は、通話セッション確立手段１０１によって通話相手の端末との間に通話セッションを確立する際に、自端末１０と相手端末との間で授受される情報から通話相手側のコンテンツ保存先の端末のＩＰアドレスを抽出する。本実施形態では、通話相手側のコンテンツ保存先の端末は、自端末１０のコンテンツデータ記憶部１０６と同様に、電話機能を有する端末と同じ端末であるものとする。通話相手アドレス取得手段１０２は、自端末１０が発信元端末となる場合、通話セッション確立手段１０１が送信したＩＮＶＩＴＥメッセージに対して発信先端末が返信した応答メッセージ（２００  ＯＫ）に含まれる発信先端末のＩＰアドレスを取得する。また、通話相手アドレス取得手段１０２は、自端末１０が発信先端末となる場合、通話セッション確立手段１０１が発信元端末から受信したＩＮＶＩＴＥメッセージに含まれる発信元端末のＩＰアドレスを取得する。
【００１７】
なお、本実施形態では、通話相手の端末内に所有コンテンツが存在するものとしたが、所有コンテンツは別の端末に存在してもよい。この場合、所有コンテンツを保存する端末のＩＰアドレスをＳＤＰ（Session Description Protocol）内に明示的に記述して通知する。具体的には、発信元端末から発信先端末への通知は、発信元端末の通話セッション確立手段１０１がＩＮＶＩＴＥのＳＤＰに所有コンテンツを保存する端末のＩＰアドレスを記述し、発信先端末の通話相手アドレス取得手段１０２が、受信したＩＮＶＩＴＥのＳＤＰから上記ＩＰアドレスを取得する。また、発信先端末から発信元端末への通知は、発信先端末の通話セッション確立手段１０１が２００  ＯＫのＳＤＰに所有コンテンツを保存する端末のＩＰアドレスを記述し、発信元端末の通話相手アドレス取得手段１０２が、受信した２００  ＯＫのＳＤＰから上記ＩＰアドレスを取得する。
【００１８】
ＨＴＴＰ要求受信手段１０３は、ネットワークＮＷ１からＨＴＴＰ要求を受信し、受信したＨＴＴＰ要求に応じた処理を行う。ＨＴＴＰ要求受信手段１０３は、受信したＨＴＴＰ要求を解析し、所定のＵＲＬを指定したデータ取得要求であれば、このＵＲＬをＵＲＬ生成手段１０４へ通知する処理を行う。ここで、本実施形態の場合、ＨＴＴＰ要求受信手段１０３は、ホスト名の箇所に自装置のＵＲＬが設定され、パスの箇所に通話相手の所有コンテンツへのアクセスである旨を示す予め定められた記述が設定されたＵＲＬを、所定のＵＲＬと判断する。そして、ＨＴＴＰ要求受信手段１０３は、ＵＲＬ生成手段１０４から生成されたＵＲＬを受け取ってＨＴＴＰ応答送信手段１０５へ渡し、上記受信したＨＴＴＰ要求に対する応答の送信を依頼する。このときＨＴＴＰ要求受信手段１０３は、ＨＴＴＰ応答送信手段１０５に対して、リダイレクション（転送要求）にかかる応答（例えば３０２  Ｆｏｕｎｄ）で応答するように指示する。
【００１９】
また、ＨＴＴＰ要求受信手段１０３は、受信したＨＴＴＰ要求を解析し、上記所定のＵＲＬ以外のＵＲＬを指定したデータ取得要求であれば、コンテンツデータ記憶部１０６から当該ＵＲＬに対応するコンテンツを取得してＨＴＴＰ応答送信手段１０５へ通知し、上記受信したＨＴＴＰ要求に対する応答の送信を依頼する。
【００２０】
ＨＴＴＰ応答送信手段１０５は、ＨＴＴＰ要求受信手段１０３から依頼されたＨＴＴＰ応答の送信を行う。
【００２１】
ＵＲＬ生成手段１０４は、通話相手アドレス取得手段１０２で抽出されたＩＰアドレスと、ＨＴＴＰ要求受信手段１０３から通知された所定のＵＲＬとから、通話相手側のコンテンツのＵＲＬを生成する。具体的には、ＵＲＬ生成手段１０４は、上記所定のＵＲＬ中のホスト名を上記ＩＰアドレスに書き換え、パスから上記予め定められた記述を削除することにより、コンテンツのＵＲＬを生成する。ＵＲＬを変換する点では特許文献２と同じであるが、その目的と手順は全く相違する。
【００２２】
コンテンツデータ記憶部１０６は、情報処理端末１０の利用者の所有する各種のコンテンツを記憶する。本実施形態では、http://端末１０のＩＰアドレス/index.htmlというＵＲＬの位置に、トップページのコンテンツが記憶されているものとする。また、トップページには、他のページへのリンクが張られているものとする。
【００２３】
図１には示されていないが、情報処理端末１０は、マイク、スピーカ、操作入力部など、自端末をＩＰ電話機として機能するのに必要な部材や機能を備えている。これらの部材や機能は、当業者には良く知られているので、その詳細な説明は省略する。
【００２４】
次に、図１に示した情報処理端末１０と組み合わせて使用するブラウザ機能を有する情報処理端末について説明する。
【００２５】
図２を参照すると、ブラウザ機能を有する情報処理端末２０の一例は、ＵＲＬ入力手段２０１と、ＨＴＴＰ要求送信手段２０２と、ＨＴＴＰ応答受信手段２０３と、表示手段２０４とを備えている。これらは、それぞれ以下のような機能を有する。
【００２６】
ＵＲＬ入力手段２０１は、キーボートやマウスなどで構成され、ＵＲＬを入力するために使用される。利用者が、この情報処理端末２０と図１の情報処理端末１０とを組み合わせて使用する場合、ホスト名の箇所に情報処理端末１０のＵＲＬが設定され、パスの箇所に通話相手の所有コンテンツへのアクセスである旨を示す予め定められた記述が設定されたＵＲＬ、すなわち前述した所定のＵＲＬを入力手段２０１から入力する。
【００２７】
ＨＴＴＰ要求送信手段２０２は、入力手段２０１から入力されたＵＲＬを指定してデータの取得を要求するＨＴＴＰ要求をネットワークＮＷ２へ送信する。また、ＨＴＴＰ要求送信手段２０２は、送信したＨＴＴＰ要求に対する応答として、ＵＲＬを指定したリダイレクション応答（３０２  Ｆｏｕｎｄ等）がＨＴＴＰ応答受信手段２０３で受信された場合、この応答で指定されたＵＲＬを指定してデータの取得を要求するＨＴＴＰ要求をネットワークＮＷ２へ送信する。
【００２８】
ＨＴＴＰ応答受信手段２０３は、ＨＴＴＰ要求送信手段２０２が送信したＨＴＴＰ要求に対する応答を受信する。ＨＴＴＰ応答受信手段２０３は、ＵＲＬを指定したリダイレクション応答（３０２  Ｆｏｕｎｄ等）を受信した場合は、その応答をＨＴＴＰ要求送信手段２０２へ通知する。また、ＨＴＴＰ応答受信手段２０３は、コンテンツを含む応答を受信した場合は、その応答を表示手段２０４に通知する。
【００２９】
表示手段２０４は、液晶ディスプレイ等で構成され、ＨＴＴＰ応答受信手段２０３が受信したコンテンツなど、ＨＴＴＰ応答の内容を表示する。
【００３０】
次に、上述した情報処理端末１０および情報処理端末２０を用いて構築される情報処理システムについて説明する。
【００３１】
図３を参照すると、情報処理システム５０は、利用者４０ａが使用する情報処理端末１０ａおよび情報処理端末２０と、利用者４０ｂが使用する情報処理端末１０ｂとから構成される。情報処理端末１０ａ、１０ｂ、２０は、ネットワーク３０を通じて互いに通信可能に接続されている。
【００３２】
次に、情報処理システム５０の動作を説明する。以下では、利用者４０ａが情報処理端末１０ａを用いて利用者４０ｂの情報処理端末１０ｂに電話をかけ、その電話中に、利用者４０ａが情報処理端末２０を用いて利用者４０ｂの情報処理端末１０ｂ内の所有コンテンツをアクセスする場合を例にして動作を説明する。図４はその際の動作を示すシーケンス図である。
【００３３】
まず、情報処理端末１０ａの通話セッション確立手段１０１は、利用者４０ａが入力した情報処理端末１０ｂの電話番号に従って、情報処理端末１０ｂとの間に通話セッションを確立する。通話セッションの確立処理は、例えば、情報処理端末１０ａの通話セッション確立手段１０１がＳＩＰのＩＮＶＩＴＥメッセージを情報処理端末１０ｂに送信することにより開始される（Ｓ１００１）。ＩＮＶＩＴＥメッセージを受信した情報処理端末１０ｂの通話セッション確立手段１０１は、１８０  ＲＩＮＧＩＮＧレスポンスを情報処理端末１０ａに対して送信し、続いて、２００  ＯＫレスポンスを情報処理端末１０ａに対して送信することにより、通話セッションが確立される（Ｓ１００２）。
【００３４】
通話セッションの確立時に、情報処理端末１０ａの通話相手アドレス取得手段１０２は、２００  ＯＫに含まれる通話相手のＩＰアドレスを取得し、端末１０ａ内のメモリに記憶する（Ｓ１００３）。このとき取得されたＩＰアドレスを、「192.168.0.2」とする。なお、通話セッションの確立時、情報処理端末１０ｂの通話相手アドレス取得手段１０２は、ＩＮＶＩＴＥに含まれる通話相手のＩＰアドレスを取得し、端末１０ｂ内のメモリに記憶しているが、今、想定している動作例には直接関係しないため、図４のシーケンス図では省略している。
【００３５】
通話セッションの確立後、利用者４０ａと利用者４０ｂとは情報処理端末１０ａ、１０ｂを用いて音声通信による会話を行う。この会話中に利用者４０ａが情報処理端末２０を用いて利用者４０ｂの所有コンテンツを取得する動作を次に説明する。
【００３６】
まず、利用者４０ａは、所定のＵＲＬを情報処理端末２０の入力手段２０１から入力する。このとき入力されたＵＲＬは、http://selfdevice.com/other/index.htmlであったとする。このＵＲＬ中のホスト名「selfdevice.com」は、利用者４０ａの情報処理端末１０ａのＵＲＬである。また、「other/」は、通話相手のコンテンツへのアクセスであることを示す記述である。
【００３７】
情報処理端末２０のＨＴＴＰ要求送信手段２０２は、入力されたＵＲＬを指定してデータの取得を要求するＨＴＴＰ要求をネットワーク３０を通じて情報処理端末１０ａに送信する（Ｓ１００４）。
【００３８】
情報処理端末１０ａのＨＴＴＰ要求受信手段１０３は、上記ＨＴＴＰ要求を受信すると、そのＨＴＴＰ要求を解析し、所定のＵＲＬを指定したデータ取得要求であるので、このＵＲＬをＵＲＬ生成手段１０４へ通知する。ＵＲＬ生成手段１０４は、通知された所定のＵＲＬと、通知相手アドレス取得手段１０２で取得されている現通話相手端末のＩＰアドレスとを基に、情報処理端末１０ｂのコンテンツへのＵＲＬを生成する（Ｓ１００５）。具体的には、上記所定のＵＲＬのホスト名「selfdevice.com」を上記ＩＰアドレス「192.168.0.2」で置き換え、所定の記述「other/」を削除する。この結果、生成されるＵＲＬは、「http:// 192.168.0.2/index.html」となる。続いて、情報処理端末１０ａのＨＴＴＰ応答送信手段１０５は、上記生成されたＵＲＬを情報処理端末２０に対して送信する（Ｓ１００６）。このとき、ＨＴＴＰ応答送信手段１０５は、上記生成されたＵＲＬを、３０２  Ｆｏｕｎｄ応答で返信する。
【００３９】
上記のＨＴＴＰ応答が情報処理端末２０で受信されると、ＨＴＴＰ要求送信手段２０２は、リダイレクション応答なので、受け取ったＵＲＬ宛てにデータの取得を要求するＨＴＴＰ要求を送信する（Ｓ１００７）。
【００４０】
上記ＨＴＴＰ要求を受信した情報処理端末１０ｂのＨＴＴＰ要求受信手段１０３は、受信したＨＴＴＰ要求を解析し、所定のＵＲＬ以外のＵＲＬを指定したデータ取得要求であるので、コンテンツデータ記憶部１０６から当該ＵＲＬに対応するコンテンツを取得する。このとき、ＵＲＬは「http:// 192.168.0.2/index.html」なので、コンテンツデータ記憶部１０６に記憶されているトップページのコンテンツが取得される。次に、ＨＴＴＰ応答送信手段１０５は、上記取得されたコンテンツを含むＨＴＴＰ応答を情報処理端末２０に返信する（Ｓ１００８）。
【００４１】
情報処理端末２０のＨＴＴＰ応答送信手段２０３は、受信したコンテンツを表示手段２０４に表示する。これにより、利用者４０ａは、利用者４０ｂの所有するコンテンツのうち、トップページのコンテンツを閲覧することができる。トップページには、他のページへのリンクが張られているので、通常の方法で、このトップページ経由で、利用者４０ｂの他の所有コンテンツもアクセスすることができる。
【００４２】
このように図３に示す情報処理システムによれば、利用者４０ａは、既にＵＲＬが分かっている情報処理端末１０ａにＨＴＴＰ要求を送信することによって、通信相手の所有するコンテンツにアクセスすることができる。これによって、利用者４０ａは通話毎に異なるＵＲＬを入力することなく、常に同じＵＲＬを使用して、通話相手の所有するコンテンツを取得することができ、利用者の負担を軽減できる。例えば、常に同じＵＲＬでアクセスできるため、ブラウザのブックマークに登録して簡単にアクセスできる。
【００４３】
上述の説明では、利用者４０ａが利用者４０ｂに電話をかけた場合を例に取り上げたが、利用者４０ｂが利用者４０ａに電話をかけてきた場合にも、利用者４０ａはブラウザ機能を有する情報処理端末２０を用いて、利用者４０ｂの所有コンテンツをアクセスすることができる。
【００４４】
また、利用者４０ｂ側にもブラウザ機能を有する情報処理端末２０を設けることにより、利用者４０ｂは、その情報処理端末２０を用いて利用者４０ａの所有コンテンツをアクセスすることができる。
【００４５】
[第２の実施形態]
図５を参照すると、本発明の第２の実施形態にかかる電話機能を有する情報処理端末１１は、図１の第１の実施形態にかかる電話機能を有する情報処理端末１０と比較して、ＨＴＴＰ要求転送手段１０７をさらに備え、ＨＴＴＰ要求受信手段１０３とＨＴＴＰ応答送信手段１０５に代えてＨＴＴＰ要求受信手段１０３ＡとＨＴＴＰ応答送信手段１０５Ａを備えている点で相違している。
【００４６】
ＨＴＴＰ要求受信手段１０３Ａは、ネットワークＮＷ１からＨＴＴＰ要求を受信し、受信したＨＴＴＰ要求に応じた処理を行う。ＨＴＴＰ要求受信手段１０３Ａは、受信したＨＴＴＰ要求を解析し、所定のＵＲＬを指定したデータ取得要求であれば、このＵＲＬをＵＲＬ生成手段１０４へ通知する処理を行う。そして、ＨＴＴＰ要求受信手段１０３Ａは、ＵＲＬ生成手段１０４から生成されたＵＲＬを受け取ってＨＴＴＰ要求転送手段１０７へ渡す。また、ＨＴＴＰ要求受信手段１０３Ａは、受信したＨＴＴＰ要求を解析し、上記所定のＵＲＬ以外のＵＲＬを指定したデータ取得要求であれば、コンテンツデータ記憶部１０６から当該ＵＲＬに対応するコンテンツを取得してＨＴＴＰ応答送信手段１０５Ａへ通知し、上記受信したＨＴＴＰ要求に対する応答の送信を依頼する。
【００４７】
ＨＴＴＰ要求転送手段１０７は、ＵＲＬ生成手段１０４の生成したＵＲＬを指定してデータの取得を要求するＨＴＴＰ要求をネットワークＮＷ１へ送信する。また、ＨＴＴＰ要求転送手段１０７は、上記送信したＨＴＴＰ要求に対するＨＴＴＰ応答を受信すると、この受信したＨＴＴＰ応答を、ＨＴＴＰ要求受信手段１０３Ａが受信した所定ＵＲＬを含むＨＴＴＰ要求に対する応答として送信するように、ＨＴＴＰ応答送信手段１０５Ａに依頼する。
【００４８】
ＨＴＴＰ応答送信手段１０５Ａは、ＨＴＴＰ要求受信手段１０３ＡおよびＨＴＴＰ要求転送手段１０７から依頼されたＨＴＴＰ応答の送信を行う。
【００４９】
図５に示した情報処理端末１１と組み合わせて使用するブラウザ機能を有する情報処理端末は、図２に示した情報処理端末２０と同じである。
【００５０】
次に、上述した情報処理端末１１および情報処理端末２０を用いて構築される情報処理システムについて説明する。
【００５１】
図６を参照すると、情報処理システム５１は、利用者４０ａが使用する情報処理端末１１ａおよび情報処理端末２０と、利用者４０ｂが使用する情報処理端末１１ｂとから構成される。情報処理端末１１ａと情報処理端末１１ｂとは、ネットワーク３０を通じて互いに通信可能に接続されている。また、情報処理端末１１ａと情報処理端末２０とは、ネットワーク６０を通じて互いに通信可能に接続されている。ネットワーク３０とネットワーク６０とは分離されており、情報処理端末２０と情報処理端末１１ｂは直接に通信することはできない。
【００５２】
次に、情報処理システム５１の動作を説明する。以下では、利用者４０ａが情報処理端末１１ａを用いて利用者４０ｂの情報処理端末１１ｂに電話をかけ、その電話中に、利用者４０ａが情報処理端末２０を用いて利用者４０ｂの情報処理端末１１ｂ内の所有コンテンツをアクセスする場合を例にして動作を説明する。図７はその際の動作を示すシーケンス図である。
【００５３】
情報処理端末１１ａが情報処理端末１１ｂに対して電話をかけてから（Ｓ１００１）、情報処理端末１１ａのＵＲＬ生成手段１０４が情報処理端末１１ｂのコンテンツへのＵＲＬを生成する（Ｓ１００５）までの動作は、第１の実施形態で説明した図４と同じである。このとき生成されるＵＲＬは、第１の実施形態における例と同じく「http:// 192.168.0.2/index.html」である。
【００５４】
情報処理端末１１ａのＨＴＴＰ要求転送手段１０７は、上記生成されたＵＲＬを指定してデータの取得を要求するＨＴＴＰ要求をネットワーク３０を通じて情報処理端末１１ｂへ送信する（Ｓ１１０１）。
【００５５】
上記ＨＴＴＰ要求を受信した情報処理端末１１ｂのＨＴＴＰ要求受信手段１０３Ａは、受信したＨＴＴＰ要求を解析し、所定のＵＲＬ以外のＵＲＬを指定したデータ取得要求であるので、コンテンツデータ記憶部１０６から当該ＵＲＬに対応するコンテンツを取得する。このとき、ＵＲＬは「http:// 192.168.0.2/index.html」なので、コンテンツデータ記憶部１０６に記憶されているトップページのコンテンツが取得される。次に、ＨＴＴＰ応答送信手段１０５Ａは、上記取得されたコンテンツを含むＨＴＴＰ応答を情報処理端末１１ａに返信する（Ｓ１１０２）。
【００５６】
情報処理端末１１ａのＨＴＴＰ要求転送手段１０７は、上記取得されたコンテンツを含むＨＴＴＰ応答を受信すると、その応答をＨＴＴＰ応答送信手段１０５Ａに通知する。ＨＴＴＰ応答送信手段１０５Ａは、取得されたコンテンツを含むＨＴＴＰ応答を、情報処理端末２０から受信した所定のＵＲＬを含むＨＴＴＰ要求に対する応答として、ネットワーク６０を通じて情報処理端末２０へ送信する（Ｓ１１０３）。
【００５７】
情報処理端末２０のＨＴＴＰ応答送信手段２０３は、受信したコンテンツを表示手段２０４に表示する。これにより、利用者４０ａは、利用者４０ｂの所有するコンテンツのうち、トップページのコンテンツを閲覧することができる。トップページには、他のページへのリンクが張られているので、そのリンク先を表示させることにより、利用者４０ｂの他の所有コンテンツのＵＲＬが判明する。例えば、上記判明したＵＲＬが「http:// 192.168.0.2/onishi1.html」とすると、「http://selfdevice.com/other/onishi1.html」なるＵＲＬを生成すれば、前述した所定のＵＲＬを入力した場合と同様の動作によりコンテンツを取得することができる。
【００５８】
このように図６に示す情報処理システムによれば、利用者４０ａは、既にＵＲＬが分かっている情報処理端末１１ａにＨＴＴＰ要求を送信することによって、通信相手の所有するコンテンツにアクセスすることができる。これによって、利用者４０ａは通話毎に異なるＵＲＬを入力することなく、常に同じＵＲＬを使用して、通話相手の所有するコンテンツを取得することができ、利用者の負担を軽減できる。
【００５９】
また、図６に示す情報処理システムでは、情報処理端末１１ｂからのコンテンツの取得を情報処理端末１１ａが代行するため、通話相手の情報処理端末１１ｂに直接接続することができない情報処理端末２０からでも、通話を行っている情報処理端末１１ａがコンテンツの送受信を仲立ちすることで、通話相手の情報処理端末１１ｂのコンテンツを取得することができる。
【００６０】
以上本発明の実施形態について説明したが、本発明は以上の実施形態にのみ限定されず、その他各種の付加変更が可能である。また、本発明の情報処理端末は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各情報処理端末として機能させる。
【符号の説明】
【００６１】
１０    情報処理端末
１０ａ  情報処理端末
１０ｂ  情報処理端末
１１    情報処理端末
１１ａ  情報処理端末
１１ｂ  情報処理端末
２０    情報処理端末
３０    ネットワーク
４０ａ  利用者
４０ｂ  利用者
５０    情報処理システム
５１    情報処理システム
６０    ネットワーク
１０１  通話セッション確立手段
１０２  通話相手アドレス取得手段
１０３  ＨＴＴＰ要求受信手段
１０３Ａ  ＨＴＴＰ要求受信手段
１０４  ＵＲＬ生成手段
１０５  ＨＴＴＰ応答送信手段
１０５Ａ  ＨＴＴＰ応答送信手段
１０６  コンテンツデータ記憶部
１０７  ＨＴＴＰ要求転送手段
２０１  ＵＲＬ入力手段
２０２  ＨＴＴＰ要求送信手段
２０３  ＨＴＴＰ応答送信手段
２０３  ＨＴＴＰ応答受信手段
２０４  表示手段
【図１】
2011249897.tif 000003
【図２】
2011249897.tif 000004
【図３】
2011249897.tif 000005
【図４】
2011249897.tif 000006
【図５】
2011249897.tif 000007
【図６】
2011249897.tif 000008
【図７】
2011249897.tif 000009